(57)【要約】【課題】  組立が容易で、且つその使用において便利なラチェットレンチを提供する。【解決手段】  グリップ２０、駆動部材３０、カバーリング４０、スナップリング５０、爪６０、切換部材７０、および位置決め部材８０を備える。グリップ２０はヘッド２２を有し、ヘッド２２は貫通孔２２２と収容室２２６とを有し、またグリップ２０はヘッド２２において収容室２２６の頂端に対応するところに取付け部２４を凹設する。駆動部材３０はカバーリング４０とスナップリング５０とを利用して、貫通孔２２２内に固定される。爪６０と駆動部材３０とは互いに噛合し、切換部材７０は爪６０に設けられ、且つ取付け部２４に接触し、カバーリング４０の嵌め込み環状溝４２と嵌合し、切換部材７０が爪６０を移動することを可能とする。【選択図】    図２
0003115046.tif 000002
【実用新案登録請求の範囲】
【請求項１】
一端にヘッドを有し、該ヘッドはその両側面を貫通する貫通孔を備え、該貫通孔の周壁にガイド溝を設け、該貫通孔の周壁の片側より収容室に挿入し、且つ該ヘッドにおいて該収容室の端縁と対応し、取付け部を凹設するグリップと、
該ヘッドの貫通孔に設けられ、中央にカバーリングを備え、該駆動部材の外環面に環状歯部を有する駆動部材と、
該駆動部材の上面に套設され、外環面に嵌め込み環状溝を有するカバーリングと、
該ヘッドのガイド溝および該カバーリングの嵌め込み環状溝内にそれぞれ嵌設され、該駆動部材の位置を固定するために用いられるスナップリングと、
該グリップの収容室内に設けられ、且つ該駆動部材の片側に対応する歯部を形成し、該歯部は該駆動部材の環状歯部と相互に噛合する爪と、
該爪の上面に設けられ、該駆動部材の片側に対応する凸壁を有し、該凸壁は該カバーリングの嵌め込み環状溝内で嵌合し、該嵌め込み環状溝に沿って該爪を移動可能な切換部材と、
該収容室に設けられ、且つ該爪に接触し、該爪を該駆動部材に緊接させる位置決め部材と、
を備えることを特徴とするラチェットレンチ。
【請求項２】
前記駆動部材は取付け部材に接触し、前記切換部材の端縁の位置と前記ヘッドの端縁の位置とが同一の水平面であることを特徴とする請求項１に記載のラチェットレンチ。
【請求項３】
前記爪は円形の固定孔を有し、前記切換部材はヘッドおよびボディを有し、該ボディは前記固定孔内に穿設されることを特徴とする請求項１に記載のラチェットレンチ。
【請求項４】
前記切換部材の凸壁の二端はそれぞれ制動ブロックを有し、該切換部材の一端を前記嵌め込み環状溝内に制止するために用いられることを特徴とする請求項１に記載のラチェットレンチ。
【請求項５】
前記位置決め部材は柱およびスプリングを有し、前記収容室の内壁に収容孔を備え、該柱は該収容孔の中に設けられ、該スプリングの二端はそれぞれ該柱および該収容孔の内壁に接触することを特徴とする請求項１に記載のラチェットレンチ。
【考案の詳細な説明】
【技術分野】
【０００１】
本考案は手工具に関し、特にラチェットレンチに関する。
【背景技術】
【０００２】
図５に示すように、ラチェットレンチ９０の構造はグリップ９１、駆動部材９２、カバーリング９３、Ｃ形状のスナップリング９４、爪９５、切換部材９６および位置決め部材９７を備える。該駆動部材９２は該グリップ９１のヘッド９１２内で回転し、該カバーリング９３は該駆動部材９２の上面に套設されている。また、該Ｃ形状のスナップリング９４は該ヘッド９１２と該カバーリング９３とをそれぞれ嵌合し、該駆動部材９２の位置を固定するために用いられる。該爪９５は該グリップ９１の収容室９１４内に設けられ、かつ該駆動部材９２と噛合する。該切換部材９６は連結棒９６２を有し、該連結棒９６２は該爪９５の固定孔９５２を貫通するように設けられ、該切換部材９６が該爪９５を移動できるようにする。該位置決め部材９７は該収容室９１４に設けられ、該爪９５と接触し、該爪９５を該駆動部材９２に緊接させるようにする。
【０００３】
しかしながら、上述のラチェットレンチ９０の構造において、該切換部材９６の連結棒９６２の断面形状と該爪９５の固定孔９５２とは共に多辺形であり、該連結棒９６２を該固定孔９５２に穿設する時には必ず該連結棒９６２の方向を再調整しなければならず、該連結棒９６２と該固定孔９５２とが互いに対応するに至ってやっと該連結棒９６２がスムースに該固定孔９５２の中で穿設されることが可能となるため、組立上の面倒さをもたらしていた。このほか、該切換部材９６は該グリップ９１のヘッド９１２に位置し、且つ該切換部材９６の端縁は該ヘッド９１２の頂端よりも高く、ユーザーが不注意によって容易に該切換部材９６の切換を行うことをもたらし、これは該爪９５の位置を変え、該駆動部材９２の回転方向を変えることになり、ユーザーにとって使用上における不便となっていた。
【考案の開示】
【考案が解決しようとする課題】
【０００４】
本考案の目的は組立が容易で、且つその使用において便利なラチェットレンチを提供することである。
【課題を解決するための手段】
【０００５】
上述の目的を達成するために、本考案が提供するラチェットレンチはグリップ、駆動部材、カバーリング、スナップリング、爪、切換部材、および位置決め部材を備える。該グリップはヘッドを有し、該ヘッドは貫通孔と収容室とを有し、また該グリップは該ヘッドにおいて該収容室の頂端に対応するところに取付け部を凹設する。
該駆動部材は該カバーリングと該スナップリングとを利用して、該貫通孔内に固定される。該爪と該駆動部材とは互いに噛合し、該切換部材は該爪に設けられ、且つ該取付け部に接触し、該カバーリングの嵌め込み環状溝と嵌合し、該切換部材が該爪を移動することを可能とする。このようにして、組立が容易で、且つ使用に便利となる本考案の目的を達成することができる。
【０００６】
本考案のラチェットレンチにおいて、該爪は円形の固定孔を有し、該切換部材はヘッドおよびボディを有し、該ボディの断面形状と該固定孔の形状は同一で、該ボディをすばやく該固定孔と穿設することが可能である。
本考案のラチェットレンチにおいて、該切換部材は凸壁を有し、該凸壁の二端はそれぞれ制動ブロックを有し、該切換部材の一端が該嵌め込み環状溝に嵌入するために用いられる。
本考案のラチェットレンチは該位置決め部材に柱およびスプリングを有し、該収容室の内壁に収容孔を有し、該柱は該収容孔の中に設けられ、該スプリングの二端はそれぞれ該柱および該収容孔の内壁に接触する。
【考案を実施するための最良の形態】
【０００７】
本考案の構造および効果を詳しく説明するために、図面と合わせて以下に好ましい実施例を列挙する。その中で用いられる図式について、まず簡単に説明する。
図１は本考案の好ましい実施例の立体組合せ図である。
図２は本考案の好ましい実施例の立体分解図である。
図３は図１の３−３断面線に沿った断面図であり、この中で爪は駆動部材の頂端に接触し、駆動部材を反時計回りの方向へ回転させている。また、図４は図３と同類だが、爪は駆動部材を時計回りの方向に回転させている。
【０００８】
図１と図２を参照すると、本考案の第一実施例によるラチェットレンチ１０はグリップ２０、駆動部材３０、カバーリング４０、スナップリング５０、爪６０、切換部材７０および位置決め部材８０を備えている。該グリップ２０は金属材質からなる棒体であり、一端にヘッド２２を有し、該ヘッド２２は頂端面と底面の両側面を貫通する貫通孔２２２と、該貫通孔２２２の端縁の周壁に位置するガイド溝２２４と、該貫通孔２２２周壁の方側より溝内に入りアーチ形を呈する収容室２２６とを有する。該ヘッド２２の底面は該貫通孔２２２に沿った辺縁または内部に向かって延伸する凸壁２２８を有し、該収容室２２６側の壁面の中央には円形の収容孔２２９を有し、該グリップ２０は該ヘッド２２において該収容室２２６の頂縁に対応し溝状に設けられたアーチ形を呈する取付け部２４を凹設する。
【０００９】
該駆動部材３０は環状の柱体で、中央に１２角形のカバー孔３２を有し、該駆動部材３０の外環面には環状歯部３４を有している。該駆動部材３０は該グリップ２０の貫通孔２２２内に設けられ、該グリップ２０の凸壁２２８上に固定される。
該カバーリング４０は金属材質からなり、該環状歯部３４の頂縁に套設され、該カバーリング４０の外環面は嵌め込み環状溝４２を有している。
【００１０】
該スナップリング５０は金属材質からなり、かつＣ形状を呈し、該グリップ２０のガイド溝２２４および該カバーリング４０の嵌め込み環状溝４２とそれぞれ嵌合し、該駆動部材３０の位置を固定するために用いることができ、また該駆動部材３０が該グリップ２０の貫通孔２２２内をベースとして回転することが可能である。このほか、該スナップリング５０の切欠きは該取付け部２４の切欠きと互いに対応している。
【００１１】
該爪６０はアーチ形を呈し、頂端面と底面を貫通し、且つ円形の固定孔６２を呈し、該爪６０の側面には歯部６４を有し、該歯部６４の側面に対応するように２つの凹部６６を有している。該爪６０は該歯部６４を前記駆動部材３０の方向に対応させて該収容室２２６内に設け、該歯部６４が該駆動部材３０の環状歯部３４と互いに噛合可能となるようにする。
【００１２】
該切換部材７０はヘッド７２およびボディ７４を有している。該ヘッド７２側面はその底面に沿って凸壁７６を延伸し、該凸壁７６の二端はそれぞれ上方へ向かって突起する制動ブロック７８を有し、また該ボディ７４は円柱で、該ヘッド７２の底面より下方へ向かって延伸する。該切換部材７０のヘッド７２の底面は該グリップ２０の取付け部２４に接触しており、該ボディ７４は該爪６０の固定孔６２に穿設され、該凸壁７６は該カバーリング４０の嵌め込み環状溝４２の中で嵌合し、該切換部材７０が該嵌め込み環状溝４２に沿って位置移動し、該爪６０の移動を可能とさせる。このほか、該切換部材７０が該嵌め込み環状溝４２に沿って移動する時、該２つの制動ブロック７８により該切換部材７０の一端を該カバーリング４０の外環面において制止することが可能で、該切換部材７０の一端が該嵌め込み環状溝４２に嵌入することで該切換部材７０が作動しなくなるということが避けられる。
【００１３】
該位置決め部材８０は本実施例において柱８２およびスプリング８４から構成され、該グリップ２０の収容孔２２９内に順次設けられている。該柱８２は円柱形の軸部８２２を呈し、該軸部８２２より前方に向かって延伸する半球体８２４、および該軸部８２２から後方へ向かって延伸し円柱形を呈する末端部８２６を有している。該半球体８２４は該爪６０の凹部６６と接触し、該末端部８２６の直径は該軸部８２２の直径よりも小さいため、該スプリング８４と套合させるために用いることができ、該スプリング８４の一端が該柱８２の軸部８２２底面で接触するようにし、また該スプリング８４のもう一端は収容孔２２９の内壁に接触する。該スプリング８４は弾力を提供し、該柱８２を該爪６０の方向へ推し出すことによって、該爪６０が該駆動部材３０と緊接可能となるようにする。
【００１４】
本実施例によるラチェットレンチ１０において、図２が示す該グリップ２０のヘッド２２および取付け部２４は鉄削加工を経て作製され、本実施例を組立てる時にはまず、該柱８２および該スプリング８４を該グリップ２０の収容孔２２９内に置き、該爪６０は直接該収容室２２６内に入れ、該柱８２を該爪６０の凹部６６で接触するようにし、続いて該カバーリング４０および該スナップリング５０を再度利用して、該駆動部材３０を該貫通孔２２２内に固定し、該爪６０と該駆動部材３０を互いに噛合させ、さらに該切換部材７０のボディ７４を該爪６０の固定孔６２に穿設し、且つ該切換部材７０の凸壁７６を該カバーリング４０内に嵌設する。このとき、該切換部材７０のヘッド７２底面は該取付け部２４と接触し、該切換部材７０の端縁と該グリップ２０のヘッド２２端縁が同じ水平面の位置となるようにする。このようにして、該切換部材７０の切換が可能となり、該爪６０の移動のために用いられ、該駆動部材３０の回転方向を制止する。図３に示すように、該切換部材７０を切換することにより、該爪６０を該収容室２２６の側面図中左側に動かし、該駆動部材３０を反時計周りに回転させることができる。図４に示すように、もしも該切換部材７０が該爪６０を収容室２２６のもう一つの側面図中右側に移動させる場合、該駆動部材３０は時計回りに回転することができる。すなわち、本実施例が提供するラチェットレンチにより、組立が容易で、且つ使用に便利となる目的を達成することができた。
【図面の簡単な説明】
【００１５】
【図１】本考案の好ましい実施例の立体組合せ図である。
【図２】本考案の好ましい実施例の立体分解図である。
【図３】図１の３−３断面線に沿った断面図である。
【図４】図１の３−３断面線に沿った断面図である。
【図５】従来のラチェットレンチの立体分解図である。
【符号の説明】
【００１６】
１０  ラチェットレンチ、２０  グリップ、２２  ヘッド、２２２  貫通孔、２２４  ガイド溝、２２６  収容室、２２８  凸壁、２２９  収容孔、２４  取付け部、３０  駆動部材、３２  カバー孔、３４  環状歯部、４０  カバーリング、４２  嵌め込み環状溝、５０  スナップリング、６０  爪、６２  固定孔、６４  歯部、６６  凹部、７０  切換部材、７２  ヘッド、７４  ボディ、７６  凸壁、７８  制動ブロック、８０  位置決め部材、８２  柱、８２２  軸部、８２４  半球体、８２６  末端部、８４  スプリング
【図１】
0003115046.tif 000003
【図２】
0003115046.tif 000004
【図３】
0003115046.tif 000005
【図４】
0003115046.tif 000006
【図５】
0003115046.tif 000007